(57)【要約】【課題】製造設備の簡素化、製造の容易化が図られながら、色分解プリズムと撮像レンズとの間の取付けが高精度に行われ、また、撮像レンズの軸上の倍率色収差のばらつきに応じた各撮像素子の位置調整が行われた色分解撮像装置を提供する。【解決手段】撮像レンズ１０と、色分解プリズムと、色分解プリズムの各出射面１ａ，２ｂ，３ａに接合された各色用撮像素子６，７，８とを備え、色分解プリズムの第１のプリズム１の入射面は、撮像レンズ１０の鏡筒の後端部に直接取り付けられており、各色用撮像素子６，７，８は、色分解プリズムの各出射面１ａ，２ｂ，３ａに対して位置調整された後に接合されている。【選択図】図１
2008113257.tif 000002
【特許請求の範囲】
【請求項１】
撮像レンズと、
前記撮像レンズを経た光束が入射される入射面及び緑色帯域光の出射面を有する第１のプリズム、青色帯域光の出射面を有する第２のプリズム及び赤色帯域光の出射面を有する第３のプリズムが接合されてなり前記入射面への入射光を緑色帯域光、青色帯域光及び赤色帯域光に分解し各色帯域光を前記各出射面から出射する色分解プリズムと、
前記各出射面に対向されて該各出射面に対して接合された緑色帯域用撮像素子、青色帯域用撮像素子及び赤色帯域用撮像素子と
を備え、
前記色分解プリズムの第１のプリズムの入射面は、前記撮像レンズの鏡筒の後端部に直接取り付けられている
ことを特徴とする色分解撮像装置。
【請求項２】
撮像レンズと、この撮像レンズを経た光束が入射される入射面及び緑色帯域光の出射面を有する第１のプリズム、青色帯域光の出射面を有する第２のプリズム及び赤色帯域光の出射面を有する第３のプリズムが接合されてなり前記入射面への入射光を緑色帯域光、青色帯域光及び赤色帯域光に分解し各色帯域光を前記各出射面から出射する色分解プリズムと、前記各出射面に対向されて該各出射面に対して接合された緑色帯域用撮像素子、青色帯域用撮像素子及び赤色帯域用撮像素子とを備えた色分解撮像装置の製造方法であって、
前記撮像レンズの鏡筒の後端部に前記色分解プリズムの第１のプリズムの入射面を取り付け、
前記各撮像素子を、前記色分解プリズムの対応する出射面に対し、レジストレーション調整、あおり調整及びバックフォーカス調整を行った後に固定する
ことを特徴とする色分解撮像装置の製造方法。
【発明の詳細な説明】
【技術分野】
【０００１】
本発明は、ビデオカメラや各種カメラレンズにおいて使用される色分解撮像装置及びそのような色分解撮像装置の製造方法に関する。
【背景技術】
【０００２】
ビデオカメラや各種カメラレンズにおいては、撮像レンズを経た入射光を互いに異なる波長の光、例えば、光の３原色（Ｒ（赤色）、Ｇ（緑色）、Ｂ（青色））に分解して撮像する色分解プリズムが使用されている。このような色分解プリズムによって色分解されたＲ、Ｇ、Ｂの各原色帯域光は、固体撮像素子（ＣＣＤ、ＭＯＳ等）によって受光される。これら撮像レンズと、色分解プリズムと、撮像素子とによって、色分解撮像装置が構成されている。
【０００３】
このような色分解撮像装置における色分解プリズムは、複数のプリズムと、これらプリズムのうちの少なくとも一に形成された色分解膜とからなり、これら複数のプリズムが互いの光学面を接合されることによって構成されている。
【０００４】
このような色分解撮像装置を備えたビデオカメラは、いわゆる「３ＣＣＤカメラシステム」、あるいは、「３ＭＯＳカメラシステム」と称される。「３ＣＣＤカメラシステム」は、色分解プリズムを用いずにカラーフィルタ等によって色分解を行って１枚の撮像素子によって受光するビデオカメラに比較して、色再現性などにおいて良好な画質の撮像が行える。そのため、「３ＣＣＤカメラシステム」は、従来、業務用ビデオカメラとして使用されてきたが、近年においては、民生用ビデオカメラとしても使用されており、量産コストの低減や小型化の要求が高まっている。
【０００５】
この色分解撮像装置の色分解プリズムは、３個のプリズム（Ｇプリズム、Ｂプリズム及びＲプリズム）によって構成されている。このような色分解プリズムとして、特許文献１には、全てのプリズムをエアーギャップを設けずに密着接合させた簡素な構成の色分解プリズム（ギャップレスプリズム）が記載されている。
【０００６】
この色分解プリズムは、図２に示すように、撮像レンズからの入射光Ａが入射されるＧプリズム１０１と、このＧプリズム１０１に密着接合されたＢプリズム１０２と、このＢプリズム１０２に密着接合されたＲプリズム１０３とを有して構成されている。Ｇプリズム１０１とＢプリズム１０２との間には、緑色帯域光を反射する色分解膜である第１のダイクロイック膜１０４が形成され、Ｂプリズム１０２とＲプリズム１０３との間には、青色帯域光を反射する色分解膜である第２のダイクロイック膜１０５が形成されている。なお、Ｇプリズム１０１には、ゴースト光を止めるための遮光溝が設けてある。
【０００７】
この色分解プリズムにおいては、図示しない撮像レンズを経た入射光Ａは、Ｇプリズム１０１を経て第１のダイクロイック膜１０４に至り、この第１のダイクロイック膜１０４において、緑色帯域光のみが反射され、他の色の成分が透過されることによって、色分解される。第１のダイクロイック膜１０４において反射された緑色帯域光は、Ｇプリズム１０１の内面で全反射された後、このＧプリズム１０１の出射面より出射して、緑色帯域光用撮像素子１０６によって受光される。
【０００８】
第１のダイクロイック膜１０４を透過した光は、Ｂプリズム１０２を経て第２のダイクロイック膜１０５に至り、この第２のダイクロイック膜１０５において、青色帯域光のみが反射され、他の色の成分が透過されることによって、色分解される。第２のダイクロイック膜１０５において反射された青色帯域光は、Ｂプリズム１０２の出射面より出射して、青色光用撮像素子１０７によって受光される。なお、Ｂプリズム１０２の出射面には、Ｂトリミングフィルタ１０２ａが密着接合されている。
【０００９】
第２のダイクロイック膜１０５を透過した光（赤色帯域光）は、Ｒプリズム１０３を経て、Ｒプリズム１０３の出射面より出射して、赤色光用撮像素子１０８によって受光される。
【００１０】
このようにして、この色分解プリズムにおいては、Ｇプリズム１０１が緑色帯域光のみを緑色光用撮像素子１０６に導光し、Ｂプリズム１０２が青色帯域光のみを青色光用撮像素子１０７に導光し、また、Ｒプリズム１０３が赤色帯域光のみを赤色光用撮像素子１０８に導光する。
【００１１】
このような色分解プリズムの製造においては、Ｇプリズム１０１に対して、Ｂプリズム１０２及びＲプリズム１０３は、Ｂプリズム１０２の出射面及びＲプリズム１０３の出射面ヘの光路長が一致するように接合される。
【００１２】
そして、従来、このような色分解プリズムと撮像レンズ（ズームレンズ）との間の取付けは、図３に示すように、色分解プリズムを台板１１０と呼ばれる板材に接着剤によって固定し、この台板１１０を撮像レンズ１１１の鏡筒に対してネジ（セットスクリュ）１１２によって固定することによって行っていた。
【００１３】
しかし、台板１１０を介して色分解プリズムを撮像レンズ１１１の鏡筒に取付ける場合には、台板１１０と撮像レンズ１１１の鏡筒とを高精度に組み付ける必要があるにもかかわらず、組立誤差や組立ばらつきが生じ易く、また、台板１１０の傾斜が生じ易いという問題があった。また、この構成においては、撮像レンズ１１１の軸上の倍率色収差のばらつきに応じて、各撮像素子の位置を微調整することができない。さらに、台板１１０には高い形状精度が求められるが、台板１１０は、装置構成の小型化のために薄くしなければならず、変形や歪みが生じ易いという問題があった。
【００１４】
色分解プリズムと撮像レンズとの間の取付けについて、特許文献２には、図４に（ａ）、（ｂ）で示すように、撮像レンズ１１１の鏡筒に一体的に取付台１１３を設け、この取付台１１３に、色分解プリズムを接着剤により取付け、この接着剤を仮硬化させた後、光路長、縦軸及び横軸の調整を行いながら、接着剤を本硬化させる技術が記載されている。
【００１５】
この技術においては、撮像レンズ１１１の鏡筒の後端部と色分解プリズムとの間には、光路長調整のための空隙が設けられている。
【００１６】
【特許文献１】特開昭５０−１５９６１８号公報
【特許文献２】特開平６−１３３３２２号公報
【発明の開示】
【発明が解決しようとする課題】
【００１７】
ところで、特許文献２に記載された技術においては、色分解プリズムは、取付台１１３により、側面部（入射面に連続し入射面に直交する面）において支持されることとなる。色分解プリズムにおいては、プリズム研磨の原理から、側面部の形状に精度を求めることはできない。そのため、この技術においては、色分解プリズムの取付け精度を確保することは困難であり、信頼性にも問題がある。
【００１８】
また、取付台１１３に色分解プリズムを取付ける接着剤を仮硬化させた後に、光路長、縦軸及び横軸の調整を行いながら、接着剤を本硬化させるには、大掛かりな設備を必要とし、製造の困難化を招来する虞れがある。
【００１９】
そこで、本発明は、前述の実情に鑑みて提案されるものであって、製造設備の簡素化、製造の容易化が図られながら、色分解プリズムと撮像レンズとの間の取付けが高精度に行われ、また、撮像レンズの軸上の倍率色収差のばらつきに応じた各撮像素子の位置調整が行われた色分解撮像装置を提供することを目的とする。
【００２０】
また、本発明は、製造設備の簡素化、製造の容易化を図りながらも、色分解プリズムと撮像レンズとの間の取付けを高精度に行うことができ、また、撮像レンズの軸上の倍率色収差のばらつきに応じて各撮像素子の位置調整を行うことができる色分解撮像装置の製造方法を提供することを目的とする。
【課題を解決するための手段】
【００２１】
〔構成１〕
前述の課題を解決し、前記目的を達成するため、本発明に係る色分解撮像装置は、撮像レンズと、撮像レンズを経た光束が入射される入射面及び緑色帯域光の出射面を有する第１のプリズム、青色帯域光の出射面を有する第２のプリズム及び赤色帯域光の出射面を有する第３のプリズムが接合されてなり入射面への入射光を緑色帯域光、青色帯域光及び赤色帯域光に分解し各色帯域光を各出射面から出射する色分解プリズムと、各出射面に対向されて該各出射面に対して接合された緑色帯域用撮像素子、青色帯域用撮像素子及び赤色帯域用撮像素子とを備え、色分解プリズムの第１のプリズムの入射面は、撮像レンズの鏡筒の後端部に直接取り付けられていることを特徴とするものである。
【００２２】
〔構成２〕
また、本発明に係る色分解撮像装置の製造方法は、撮像レンズと、この撮像レンズを経た光束が入射される入射面及び緑色帯域光の出射面を有する第１のプリズム、青色帯域光の出射面を有する第２のプリズム及び赤色帯域光の出射面を有する第３のプリズムが接合されてなり入射面への入射光を緑色帯域光、青色帯域光及び赤色帯域光に分解し各色帯域光を各出射面から出射する色分解プリズムと、各出射面に対向されて該各出射面に対して接合された緑色帯域用撮像素子、青色帯域用撮像素子及び赤色帯域用撮像素子とを備えた色分解撮像装置の製造方法であって、撮像レンズの鏡筒の後端部に色分解プリズムの第１のプリズムの入射面を取り付け、各撮像素子を、色分解プリズムの対応する出射面に対し、レジストレーション調整、あおり調整及びバックフォーカス調整を行った後に固定することを特徴とするものである。
【発明の効果】
【００２３】
構成１を有する本発明に係る色分解撮像装置においては、色分解プリズムの第１のプリズムの入射面が、撮像レンズの鏡筒の後端部に直接取り付けられているので、色分解プリズムを台板に固定しこの台板を撮像レンズの鏡筒にネジ（セットスクリュ）によって固定していた従来の色分解撮像装置に比較して、組立誤差、組立ばらつき、色分解プリズムの傾斜や、台板の変形やゆがみによる色分解プリズムの位置ずれを防止することができる。
【００２４】
また、本発明においては、台板を用いないことにより、撮像レンズの鏡筒後端側におけるスペース効率が良く、装置構成の小型化を図ることができる。さらに、本発明においては、部品点数を削減し、組立工数を減少させることができるので、製造コストの低廉化を図ることができる。
【００２５】
すなわち、本発明は、製造設備の簡素化、製造の容易化が図られながら、色分解プリズムと撮像レンズとの間の取付けが高精度に行われ、また、撮像レンズの軸上の倍率色収差のばらつきに応じた各撮像素子の位置調整が行われた色分解撮像装置を提供することができるものである。
【００２６】
また、構成２を有する本発明に係る色分解撮像装置の製造方法においては、撮像レンズの鏡筒の後端部に色分解プリズムの第１のプリズムの入射面を取り付け、各撮像素子を色分解プリズムの対応する出射面に対し、レジストレーション調整、あおり調整及びバックフォーカス調整を行った後に固定するので、色分解プリズムを台板に固定しこの台板を撮像レンズの鏡筒にネジ（セットスクリュ）によって固定していた従来の色分解撮像装置の製造方法に比較して、組立誤差、組立ばらつき、色分解プリズムの傾斜や、台板の変形やゆがみによる色分解プリズムの位置ずれを防止することができる。
【００２７】
また、本発明においては、台板を用いないことにより、撮像レンズの鏡筒後端側におけるスペース効率が良く、装置構成の小型化を図ることができる。さらに、本発明においては、部品点数を削減し、組立工数を減少させることができるので、製造コストの低廉化を図ることができる。
【００２８】
そして、本発明においては、撮像レンズの個々の色収差値に応じて、撮像素子の位置を調整しているので、製造を煩雑化することなく、高性能な色分解撮像装置を製造することができる。
【００２９】
すなわち、本発明は、製造設備の簡素化、製造の容易化を図りながらも、色分解プリズムと撮像レンズとの間の取付けを高精度に行うことができ、また、撮像レンズの軸上の倍率色収差のばらつきに応じて各撮像素子の位置調整を行うことができる色分解撮像装置の製造方法を提供することができるものである。
【発明を実施するための最良の形態】
【００３０】
以下、本発明を実施するための最良の形態について、図面を参照して説明する。
【００３１】
〔色分解プリズムの構成〕
図１は、本発明に係る色分解撮像装置の構成を示す側面図である。
【００３２】
本発明に係る色分解撮像装置は、図１に示すように、色分解プリズムと、この色分解プリズムによって色分解された赤色帯域光、緑色帯域光及び青色帯域光を受光する固体撮像素子（ＣＣＤ、ＭＯＳ等）６，７，８とから構成される。
【００３３】
この色分解撮像装置を構成する色分解プリズムは、ビデオカメラや各種カメラレンズの撮像装置において、入射光を光の３原色に相当する赤色帯域光、緑色帯域光及び青色帯域光に分解するプリズムである。この色分解プリズムは、撮像レンズ１０を経た入射光Ａが入射される第１のプリズムであるＧプリズム１と、このＧプリズム１に密着接合された第２のプリズムであるＢプリズム２と、このＢプリズム２に密着接合された第３のプリズムであるＲプリズム３とから構成されている。なお、各プリズム１，２，３は、「ＢＫ７」や「ＳＫ５」など、一般的な硝材によって形成されている。
【００３４】
Ｇプリズム１とＢプリズム２との間には、緑色帯域光を反射する色分解膜である第１のダイクロイック膜４が形成され、Ｂプリズム２とＲプリズム３との間には、青色帯域光を反射する色分解膜である第２のダイクロイック膜５が形成されている。なお、Ｇプリズム１には、ゴースト光を止めるための遮光溝が設けてある。
【００３５】
この色分解プリズムへの入射光Ａは、Ｇプリズム１を経て第１のダイクロイック膜４に至り、この第１のダイクロイック膜４において、緑色帯域光のみが反射され、他の色の成分が透過されることによって、色分解される。第１のダイクロイック膜４において反射された緑色帯域光は、Ｇプリズム１の内面で全反射された後、このＧプリズム１の出射面１ａより出射して、緑色光用撮像素子６によって受光される。
【００３６】
第１のダイクロイック膜４を透過した光は、Ｂプリズム２を経て第２のダイクロイック膜５に至り、この第２のダイクロイック膜５において、青色帯域光のみが反射され、他の色の成分が透過されることによって、色分解される。第２のダイクロイック膜５において反射された青色帯域光は、Ｂプリズム２の出射面２ａより出射して、青色光用撮像素子７によって受光される。Ｂプリズム２の出射面２ａには、ブルートリミングフィルタ９が密着接合されている。
【００３７】
なお、Ｂプリズム２にブルートリミングフィルタ９が接合されている場合においては、Ｂプリズム２を経た光束がブルートリミングフィルタ９より出射する面（ブルートリミングフィルタ９の表面）を、以下、「Ｂプリズム２の出射面２ｂ」という。
【００３８】
第２のダイクロイック膜５を透過した光（赤色帯域光）は、Ｒプリズム３を経て、Ｒプリズム３の出射面３ａより出射して、赤色光用撮像素子８によって受光される。
【００３９】
なお、このような色分解プリズムにおいては、従来、色分解プリズムの各出射面と対応する各固体撮像素子との間に、それぞれ各色のトリミングフィルタが設けられていた。しかし、近年では、コストダウンの要請や、緑色及び赤色のトリミングフィルタにはカドミウムが含まれていることなどの理由で、青色のトリミングフィルタ（ブルートリミングフィルタ）のみが使用されている。これは、ダイクロイック膜は角度依存性を有することから、青色か赤色のトリミングフィルタのいずれか一方は使う必要があるためである。ブルートリミングフィルタ９としては、例えば、「Ｂ３９０」のような色ガラス、あるいは、有機物質をガラス基材に塗装したものを使用することができる。
【００４０】
このようにして、この色分解プリズムにおいては、Ｇプリズム１が緑色帯域光のみを緑色光用撮像素子６に導光し、Ｂプリズム２が青色帯域光のみを青色光用撮像素子７に導光し、また、Ｒプリズム３が赤色帯域光のみを赤色光用撮像素子８に導光する。
【００４１】
この色分解撮像装置においては、緑色光用撮像素子６、青色光用撮像素子７及び赤色光用撮像素子８は、Ｇプリズム１の出射面１ａ、Ｂプリズム２の出射面２ａ及びＲプリズム３の出射面３ａに対して、空気層を介して保持されている。これら緑色光用撮像素子６、青色光用撮像素子７及び赤色光用撮像素子８は、レジストレーション調整、あおり調整、バックフォーカス調整をなれた後に、固定されている。
【００４２】
ここで、Ｇプリズム１、Ｂプリズム２（ブルートリミングフィルタ９を含む）及びＲプリズム３は、プリズム中の光路が互いに等しくなるように構成されている。
【００４３】
〔色分解プリズムの製造方法〕
色分解プリズムを製造するには、まず、Ｇプリズム１、Ｂプリズム２及びＲプリズム３をそれぞれ作成し、また、これらプリズム１，２，３の所定の光学面に各ダイクロイック膜４，５を形成しておく。各プリズム１，２，３は、ガラス材料の粗加工（研削、溝入れ等）及び仕上げ加工（ラップ、ポリッシュ）の各工程を経て作成される。また、各ダイクロイック膜４，５は、蒸着等の成膜加工工程によって作成される。
【００４４】
また、Ｂプリズム２には、片面ＡＲコートを施したブルートリミングフィルタ９を密着接合（接着）させておく。そして、Ｂプリズム２及びＲプリズム３を密着接合（接着）させ、次に、Ｂプリズム２をＧプリズム１に密着接合（接着）させることにより、色分解プリズムが構成される。
【００４５】
〔色分解撮像装置の第１の実施の形態〕
本発明に係る色分解撮像装置は、図１に示すように、撮像レンズ１０の鏡筒後端部に、色分解プリズムのＧプリズム１の入射面が直接取り付けられて構成されている。
【００４６】
この色分解撮像装置においては、色分解プリズムのＧプリズム１の入射面が、撮像レンズ１０の鏡筒後端部に接着されている。そして、緑色光用撮像素子６、青色光用撮像素子７及び赤色光用撮像素子８は、色分解プリズムが撮像レンズ１０の鏡筒後端部に接着された後に、Ｇプリズム１の出射面１ａ、Ｂプリズム２の出射面（ブルートリミングフィルタ９の表面）２ｂ及びＲプリズム３の出射面３ａに対向され、空気層を介した状態で、レジストレーション調整、あおり調整、バックフォーカス調整をなされた後に固定されている。これら緑色光用撮像素子６、青色光用撮像素子７及び赤色光用撮像素子８は、空中接着と称される状態で、接着剤１１によって固定されている。
【００４７】
この色分解撮像装置においては、色分解プリズムが固定された台板と撮像レンズとをネジ（セットスクリュ）によって固定していた従来の色分解撮像装置と比較して、組立誤差、組立ばらつき、色分解プリズムの傾斜や、台板の変形やゆがみによる色分解プリズムの位置ずれを防止することができる。
【００４８】
また、この色分解撮像装置においては、台板を用いないことにより、撮像レンズの鏡筒後端側におけるスペース効率が良く、装置構成の小型化を図ることができる。さらに、本発明においては、部品点数を削減し、組立工数を減少させることができるので、製造コストの低廉化を図ることができる。
【００４９】
さらに、本発明においては、撮像レンズの個々の色収差値に応じて、撮像素子の位置を調整することができ、製造を煩雑化することなく、高性能な色分解撮像装置を製造することができる。
【００５０】
以下、本発明に係る色分解撮像装置の製造方法について、工程順に説明する。
【００５１】
撮像レンズ１０の製造においては、まず、鏡筒に所定のレンズ玉を接着や熱かしめにより組み上げ、次に、移動枠（バリエータ枠、ファーカス枠）及びガイドピンを組み込む。移動枠には、レンズ玉が接着や熱かしめにより組み上げられている。さらに、モータ、アリイス（絞り）を取り付け、これらモータやアリイスに給電するためのフレキシブル基板のはんだ付けをして、撮像レンズ１０が完成する。
【００５２】
色分解プリズムは、前述したように、Ｇプリズム１に対してＢプリズム２及ぴＲプリズム３を、各撮像素子６，７，８への光路長が一致するように密着接合して製造する。
【００５３】
そして、色分解プリズムのＧプリズム１の入射面を、接着剤により、撮像レンズ１０の鏡筒後端部に直接取り付ける。このとき、鏡筒後端部と色分解プリズムとの間には、λ／４（四分の一波長）板やｌＲ（赤外線）カットフィルタを設置してもよい。これらλ／４板やｌＲカットフィルタの設置は、接着による方法や、支持枠内に落とし込み高密度マイクロセルポリウレタンフォーム（通称ポロン（ＳＲＳ４０Ｐ）（日東化工株式会社製））や薄層クリーンフォーム発泡体（ＳＣＦ１００（日東電エ株式会社製））製のクッション材を用いて固定する方法などを採ることができる。
【００５４】
その後、撮像レンズにより図示しないチャートを撮像し、予め接着剤１１を塗布したＲ、Ｇ、Ｂ各色用の撮像素子６，７，８を、Ｇプリズム１の出射面１ａ、Ｂプリズム２の出射面（ブルートリミングフィルタ９の表面）２ｂ及びＲプリズム３の出射面３ａに空気層を介して対向させ、個々の撮像レンズ１０の色収差に応じて、レジストレーション調整、あおり調整及びバックフォーカス調整等の位置調整を行ったあと、接着剤１１を硬化させて、固定する。
【００５５】
なお、色分解プリズムの各出射面１ａ，２ｂ，３ａと各色用の撮像素子６，７，８間の空気層は、０．２５ｍｍ乃至０．５５ｍｍとする。これは、０．２５ｍｍ以下とした場合には、撮像素子と色分解プリズムとが接触して調整不能となる虞れがあるためである。０．５５ｍｍ以上とした場合には、エアギャップが長すぎて、接着剤の信頼性、特に、高温信頼性、温度サイクル信頼性が低下してしまうためである。
【００５６】
接着剤１１としては、ＵＶ（紫外線）硬化型、常温硬化型等、種々の接着剤が使用でき、信頼性と硬化収縮の優れたものを選定する。ＵＶ（紫外線）硬化型を使用した場合には、紫外線を露光することによって接着剤１１を硬化させ、各色用の撮像素子６，７，８を固定することができる。紫外線照射によるプリズム膜等の劣化が懸念される場合には、可視光を照射して硬化させるようにしてもよい。例えば、ワールドロック８８０３ＳＡ（協立化学産業（株）製）は、紫外線、可視光兼用の接着剤なので、可視光の照射により硬化させることが可能である。
【００５７】
紫外線硬化型アクリル系接着剤としては、例えば、ワールドロック８８３３Ｇ（協立化学産業（株）製）などがあり、紫外線硬化型エポキシ系接着剤としては、ＳＡ１３１０（ソニーケミカル社製）、ワールドロック８７９５（協立化学産業（株））、Ｋ１６０ＤＨ（協立化学産業（株））などがある。
【００５８】
〔色分解撮像装置の第２の実施の形態〕
この色分解撮像装置は、色分解プリズムのＧプリズム１の入射面を、図示しない台板を介して撮像レンズ１０の鏡筒後端部に取り付けて構成してもよい。緑色光用撮像素子６、青色光用撮像素子７及び赤色光用撮像素子８は、前述の第１の実施の形態と同様に、色分解プリズムが撮像レンズ１０に取り付けられた後に、Ｇプリズム１の出射面１ａ、Ｂプリズム２の出射面（ブルートリミングフィルタ９の表面）２ｂ及びＲプリズム３の出射面３ａに対向され、空気層を介した状態で、レジストレーション調整、あおり調整、バックフォーカス調整をなされた後に固定されている。これら緑色光用撮像素子６、青色光用撮像素子７及び赤色光用撮像素子８は、空中接着と称される状態で、接着剤１１によって固定されている。
【００５９】
以下、色分解撮像装置の製造方法の第２の実施の形態について、工程順に説明する。
【００６０】
撮像レンズ１０の製造及び色分解プリズムは、前述の第１の実施の形態と同様にして製造する。
【００６１】
そして、色分解プリズムのＧプリズム１の入射面を、接着剤により、図示しない台板に対して固定する。この台板を、撮像レンズ１０の鏡筒後端部に対し、ネジ（セットスクリュ）により取り付ける。このとき、台板には、λ／４（四分の一波長）板やｌＲ（赤外線）カットフィルタを設置してもよい。
【００６２】
その後、撮像レンズにより図示しないチャートを撮像し、予め接着剤１１を塗布したＲ、Ｇ、Ｂ各色用の撮像素子６，７，８を、Ｇプリズム１の出射面１ａ、Ｂプリズム２の出射面（ブルートリミングフィルタ９の表面）２ｂ及びＲプリズム３の出射面３ａに空気層（エアギャップ）を介して対向させ、個々の撮像レンズ１０の色収差に応じて、レジストレーション調整、あおり調整及びバックフォーカス調整等の位置調整を行ったあと、接着剤１１を硬化させて、固定する。
【００６３】
色分解プリズムの各出射面１ａ，２ｂ，３ａと各色用の撮像素子６，７，８間の空気層は、前述の第１の実施の形態と同様に、０．２５ｍｍ乃至０．５５ｍｍとする。また、接着剤１１としては、前述の第１の実施の形態と同様に、ＵＶ（紫外線）硬化型、常温硬化型等、種々の接着剤が使用でき、信頼性と硬化収縮の優れたものを選定する。
【００６４】
なお、前述の各実施の形態において示した各部の具体的な形状及び構造は、いずれも本発明を実施するにあたっての具体化のほんの一例を示したものに過ぎず、これらによって本発明の技術的範囲が限定的に解釈されることがあってはならないものである。
【図面の簡単な説明】
【００６５】
【図１】本発明に係る色分解撮像装置の構成を示す側面図である。
【図２】従来の色分解撮像装置の構成を示す側面図である。
【図３】従来の色分解撮像装置の構成を示す分解図である。
【図４】従来の色分解撮像装置の構成の他の例を示す平面図（ａ）及び側面図（ｂ）である。
【符号の説明】
【００６６】
１    Ｇプリズム
１ａ  出射面
２    Ｂプリズム
２ａ  出射面
２ｂ  出射面
２ｃ  接合面
２ｄ  接合面
３    Ｒプリズム
３ａ  出射面
４    第１のダイクロイック膜
５    第２のダイクロイック膜
６    緑色光用撮像素子
７    青色光用撮像素子
８    赤色光用撮像素子
９    ブルートリミングフィルタ
１０    撮像レンズ
１１    接着剤
Ａ    入射光
【図１】
2008113257.tif 000003
【図２】
2008113257.tif 000004
【図３】
2008113257.tif 000005
【図４】
2008113257.tif 000006